(57)【要約】【課題】フットレストを使用しない収納状態においては、大幅に設置スペースを小さくすることができる椅子を提供する。【解決手段】床面Ｆに置かれ使用者の脚部を収容するフットレスト２と、前記フットレスト２に連結され、少なくとも使用者の臀部を支持する身体受け部３とを備えた椅子１である。前記身体受け部３は、使用者の身体を置くための載置面１４を有し、該載置面１４が前記フットレスト２の上部に位置する収納状態から該載置面１４が上向きに露出する展開状態へ状態変更可能となるように、前記フットレスト２に回動可能に連結されている。【選択図】      図１
2010148815.tif 000002
【特許請求の範囲】
【請求項１】
床面に置かれ使用者の脚部を収容するフットレストと、
前記フットレストに連結され、少なくとも使用者の臀部を支持する身体受け部とを備えた椅子であって、
前記身体受け部は、使用者の身体を置くための載置面を有し、該載置面が前記フットレストの上部に位置する収納状態から該載置面が上向きに露出する展開状態へ状態変更可能となるように、前記フットレストに回動可能に連結されていることを特徴とする椅子。
【請求項２】
前記身体受け部は、前記載置面の裏側に使用者が着座する着座面を有し、前記収納状態では該着座面が上向きに露出するよう構成されていることを特徴とする請求項１に記載の椅子。
【請求項３】
前記身体受け部は、展開状態において該身体受け部を床面から所定の高さで支持する支持部を有していることを特徴とする請求項１又は２に記載の椅子。
【請求項４】
前記支持部は、該支持部の一端が前記身体受け部に連結され、収納状態において該支持部の他端が前記一端よりも上部に位置するように構成されていることを特徴とする請求項３に記載の椅子。
【請求項５】
前記支持部は、展開状態において該支持部の一端が前記身体受け部の後部に連結され、収納状態において該支持部の他端が前記着座面の上部又は側部に位置することができるように回動可能に構成されていることを特徴とする請求項３に記載の椅子。
【請求項６】
前記支持部は、該支持部の前記身体受け部に対する回動を展開状態でロックする位置決め部を有していることを特徴とする請求項５に記載の椅子。
【請求項７】
前記載置面は、使用者の臀部及び背中を支持し、展開状態において前方へ向かうにつれて下方に傾斜した下方傾斜面を有し、
前記フットレストの上部は、収納状態において前記載置面が当接する前方へ向かうにつれて下方に傾斜した下方傾斜面を有していることを特徴とする請求項１〜６のいずれかに記載の椅子。
【請求項８】
前記フットレストと前記身体受け部とを収納状態で固定するロック機構を備えていることを特徴とする請求項１〜７のいずれかに記載の椅子。
【請求項９】
収納状態における前記フットレストの前部、又は前記身体受け部の下部に床面を転動するための車輪を有していることを特徴とする請求項１〜８のいずれかに記載の椅子。
【請求項１０】
前記フットレストと前記身体受け部のうち少なくともいずれかはマッサージ部を有していることを特徴とする請求項１〜９のいずれかに記載の椅子。
【請求項１１】
前記身体受け部は、エアの給排気により膨張収縮して使用者にマッサージを施すエアセルよりなるマッサージ部を有し、
前記フットレストは、当該フットレスト内部にエア配管を介して前記マッサージ部に対してエアを給排気するエア給排気装置を有し、
展開状態における前記フットレストの上部後方には、上方及び後方に開放端を有し該フットレスト内部に通じる第一溝が設けられ、
展開状態における前記身体受け部の前部には、上方及び前方に開放端を有し該身体受け部内部に通じる第二溝が設けられ、
前記第一溝と第二溝は、左右方向において互いに対応する位置に設けられていることを特徴とする請求項１〜１０のいずれかに記載の椅子。
【発明の詳細な説明】
【技術分野】
【０００１】
本発明は、床面に置かれ使用者の脚部を収容するフットレストと、少なくとも使用者の臀部を支持する身体受け部を有する椅子に関し、特にフットレストに対する身体受け部の状態変更が可能な椅子に関するものである。
【背景技術】
【０００２】
従来、床面に置かれるベース部（座部と背凭れ部）と、表側に着座面、裏側に身体を置くための載置面を有する可動上部（フットレスト）とを備えた椅子であって、着座面を上向きにした椅子状態から載置面を上向きに露出させる展開状態へ状態変更可能となるように、可動上部がベース部に連結された椅子が提案されている（例えば、特許文献１参照）。
【０００３】
【特許文献１】特開２００５−２１１１４４号公報
【発明の開示】
【発明が解決しようとする課題】
【０００４】
特許文献１記載の椅子は、外形寸法の大きいベース部（座部と背凭れ部）側を床面に設置し、外形寸法の小さい可動上部（フットレスト）側をベース部に対して状態変更可能に連結している。従って、可動上部が着座面を上向きにしてベース部上に配置された椅子状態にしても、床面に設置されるベース部の外形寸法が大きいため、大幅に設置スペースを小さくすることができない。
【０００５】
そこで本発明は、このような問題を解消するためになされたものであり、フットレストを使用しない収納状態においては、大幅に設置スペースを小さくすることができる椅子を提供することを目的とする。
【課題を解決するための手段】
【０００６】
本発明は、床面に置かれ使用者の脚部を収容するフットレストと、前記フットレストに連結され、少なくとも使用者の臀部を支持する身体受け部とを備えた椅子であって、前記身体受け部は、使用者の身体を置くための載置面を有し、該載置面が前記フットレストの上部に位置する収納状態から該載置面が上向きに露出する展開状態へ状態変更可能となるように、前記フットレストに回動可能に連結されていることを特徴とする。
このような構成とすることにより、身体受け部の載置面がフットレストの上部に位置する収納状態にすると、椅子全体の床面方向における外形寸法を小さくできる。しかも、外形寸法が小さいフットレスト側を床面に設置するため、身体受け部側を床面に設置するよりも設置スペースを小さくでき、居住スペースを有効活用することができる。
【０００７】
また、前記身体受け部は、前記載置面の裏側に使用者が着座する着座面を有し、前記収納状態では該着座面が上向きに露出するよう構成されていることが好ましい。
このような構成とすることにより、収納状態としても身体受け部の着座面が上向きに露出するため、フットレストのない小型の椅子としても使用できる。
【０００８】
また、前記身体受け部は、展開状態において該身体受け部を床面から所定の高さで支持する支持部を有していることが好ましい。
このような構成とすることにより、展開状態において載置面に着座した使用者の臀部が床面から所定の高さに位置するため、使用者は楽な姿勢でフットレストに脚部を収容することができる。
【０００９】
また、前記支持部は、該支持部の一端が前記身体受け部に連結され、収納状態において該支持部の他端が前記一端よりも上部に位置するように構成されていることが好ましい。
このような構成とすることにより、収納状態において支持部を着座面に着座した使用者の背凭れ部として使用することができる。
【００１０】
また、前記支持部は、展開状態において該支持部の一端が前記身体受け部の後部に連結され、収納状態において該支持部の他端が前記着座面の上部又は側部に位置することができるように回動可能に構成されていることが好ましい。
このような構成とすることにより、収納状態において支持部の他端を着座面の上部に位置させた場合は、支持部を着座面に着座した使用者の背凭れ部として使用することができる。また、収納状態において支持部の他端を着座面の側部に位置させた場合は、スツールとして使用することができるとともに高さ方向における外形寸法を小さくすることができる。
【００１１】
また、前記支持部は、該支持部の前記身体受け部に対する回動を展開状態でロックする位置決め部を有していることが好ましい。
このような構成とすることにより、展開状態において前記身体受け部を床面から所定の高さで安定して支持することができる。
【００１２】
また、前記載置面は、使用者の臀部及び背中を支持し、展開状態において前方へ向かうにつれて下方に傾斜した下方傾斜面を有し、前記フットレストの上部は、収納状態において前記載置面が当接する前方へ向かうにつれて下方に傾斜した下方傾斜面を有していることが好ましい。
このような構成とすることにより、収納状態において互いに当接する身体受け部の載置面とフットレストの上部とが相補的な形状であるため、収納状態としてもかさばることがない。
【００１３】
また、前記フットレストと前記身体受け部とを収納状態で固定するロック機構を備えていることが好ましい。
このような構成とすることにより、収納状態における本発明の椅子を持ち運ぶ際に、展開状態となってしまうことを防止できる。
【００１４】
また、収納状態における前記フットレストの前部、又は前記身体受け部の下部に床面を転動するための車輪を有していることが好ましい。
このような構成とすることにより、本発明の椅子を容易に移動させることができる。特に、収納状態において支持部の他端を着座面の上部に位置させた場合や、収納状態において支持部の他端を支持部の一端よりも上部に位置させた場合は、支持部を引き手として本発明の椅子を移動させることができる。
【００１５】
また、前記フットレストと前記身体受け部のうち少なくともいずれかはマッサージ部を有していることが好ましい。
このような構成とすることにより、使用者は椅子のみならず、マッサージ機としても使用することができる。
【００１６】
また、前記身体受け部は、エアの給排気により膨張収縮して使用者にマッサージを施すエアセルよりなるマッサージ部を有し、前記フットレストは、当該フットレスト内部にエア配管を介して前記マッサージ部に対してエアを給排気するエア給排気装置を有し、展開状態における前記フットレストの上部後方には、上方及び後方に開放端を有し該フットレスト内部に通じる第一溝が設けられ、展開状態における前記身体受け部の前部には、上方及び前方に開放端を有し該身体受け部内部に通じる第二溝が設けられ、前記第一溝と第二溝は、左右方向において互いに対応する位置に設けられていることが好ましい。
このような構成とすることにより、本発明の椅子を収納状態から展開状態又は展開状態から収納状態へと状態変化させても、身体受け部に設けられたマッサージ部とフットレストに設けられたエア給排気装置とを接続するエア配管が無理に曲げられたり引っ張られたりして破損してしまうことを防止することができる。
【発明の効果】
【００１７】
本発明によれば、フットレストを使用しない収納状態においては、大幅に設置スペースを小さくすることができる椅子を提供することができる。
【発明を実施するための最良の形態】
【００１８】
［全体構成］
以下、本発明の第一実施形態に係る椅子について、図面を参照しながら具体的に説明する。
図１は本発明の第一実施形態に係る展開状態における椅子の全体構成を示す前方斜視図であり、図２は本発明の第一実施形態に係る展開状態における椅子の全体構成を示す後方斜視図であり、図３は本発明の第一実施形態に係る第一収納状態における椅子の全体構成を示す前方斜視図であり、図４は本発明の第一実施形態に係る第一収納状態における椅子の全体構成を示す後方斜視図であり、図５は本発明の第一実施形態に係る第二収納状態における椅子の全体構成を示す前方斜視図であり、図６は本発明の第一実施形態に係る第二収納状態における椅子の全体構成を示す後方斜視図である。なお、図１〜図６のうち図１以外は、後述する身体受け部のマッサージ部及びエア配管を省略して図示している。
【００１９】
図１及び図２に示すように、本発明の第一実施形態に係る椅子１は、使用者の脚部（膝下から足までの少なくとも一部）を収容することができるフットレスト２と、少なくとも使用者の臀部を支持することができる身体受け部３と、展開状態においてフットレスト２を設置する床面Ｆから所定の高さで身体受け部３を支持する支持部４とを備えている。また、身体受け部３はフットレスト２に対して前後方向に回動可能に連結され、支持部４は身体受け部３に対して前後方向に回動可能に連結して構成されている。
【００２０】
そして、この椅子１は図１及び図２に示す展開状態から展開状態における身体受け部３の後部を前方へ回動させて椅子１を折り畳んだ図３及び図４に示す第一収納状態に状態変化させることが可能であり、第一収納状態から第一収納状態における支持部４の上部を後方へ回動させて椅子１を更に折り畳んだ図５及び図６に示す第二収納状態に状態変化させることが可能である。
【００２１】
なお、本明細書における方向の概念は、展開状態においては、身体受け部３に着座した使用者が正面を向いて、その前方が「前」であり、後方が「後」であり、左手側が「左」であり、右手側が「右」であり、頭側が「上」であり、腰側が「下」であり、第一収納状態及び第二収納状態においては、展開状態におけるフットレストの方向を基準として各収納状態における椅子全体の方向を規定する。その他の場合は適宜説明するものとする。
【００２２】
［フットレストの構成］
以下、図１，図２，及び図７に基づいてフットレスト２の構成について具体的に説明する。
図７は本発明の第一実施形態に係る椅子のフットレストの後方分解斜視図である。
フットレスト２は、使用者の左右の脚部（脚の膝下；足も含む）の後面を支持する後壁部５と、後壁部５の側方において後壁部５よりも若干後方位置から前方へ立設され、左右の脚部（脚の膝下；足も含む）の外側面を支持する外壁部６と、左右の外壁部６の間において後壁部５の前面位置から前方へ立設され、左右の脚部（脚の膝下；足も含む）の内側面を支持する中間壁部７と、後壁部５の下部において後壁部５よりも若干後方位置から前方へ立設され、左右の脚部の底面（足裏）を支持する底壁部８と、後壁部５の上部かつ左右の側壁部６，６の間において後方へ立設された上壁部９とを備えている。
【００２３】
これら後壁部５、側壁部６，６、中間壁部７、及び底壁部８によって、上方及び前方が開放された一対の溝２ａ，２ａが構成され、この溝２ａ内に使用者の左右の脚部を収容することができるようになっている。また、後壁部５、左右の側壁部６，６の後部、底壁部８の後部、及び上壁部９とによって、後方が開放された収納空間２ｂが構成され、この収納空間２ｂに後述するエア給排気装置１００を収納できるようになっている。図７に示すように、フットレスト２は、収納空間２ｂを後方から覆う第一カバー部１０ａを有しており、収納空間２ｂが外部から露出しないよう構成されている。また、フットレスト２は、左右一対の側壁部６，６及び中間壁部７を前方及び上方から覆う第二カバー部１０ｂを有しており、後述する操作部１１をこの第二カバー部１０ｂに取り付けることができるよう構成されている。この第一カバー部１０ａと第二カバー部１０ｂによりフットレスト２のカバー部１０が構成されている。また、底壁部８は下面が略平坦面に形成された板状部材であり、フットレスト２を床面Ｆに置くことができるようになっている。
【００２４】
図１に示すように、フットレスト２には、一対の溝２ａ，２ａ内において使用者の脚部に対してマッサージするマッサージ部（脚用マッサージ部Ｍ１）Ｍが設けられている。この脚用マッサージ部Ｍ１はエアの給排気により膨張収縮して使用者の脚部に押圧マッサージを行うエアセルで構成されており、脚用マッサージ部Ｍ１へのエアの給排気は、フットレスト２内部（すなわち収納空間２ｂ内）に設けられたエアポンプ１００ａ及びバルブ１００ｂ等を有するエア給排気装置１００によって行われる（図７参照）。この脚用マッサージ部Ｍ１は左右の後壁部５，５の前面、左右の側壁部６，６に内側面、中間壁部７の両側面、及び左右の底壁部８，８の上面にそれぞれ設けられている。
【００２５】
中間壁部７の上部かつ後方には、第二カバー部１０ｂを介して使用者が操作するための操作部１１が設けられ、この操作部１１はフットレスト２に設けられたマッサージ部Ｍ、及び後述する身体受け部３に設けられたマッサージ部Ｍの動作を制御するマイコン等よりなる制御部（図示せず）に接続されており、この制御部も収納空間２ｂ内部に設けられている。
フットレスト（側壁部６）２の左右の外側面には、内側に向かって凹状に窪んだ把持部１２が設けられている。従って、使用者が把持部１２に指を掛けて椅子１を持ち上げて、椅子１を容易に移動させることができる。
【００２６】
フットレスト２の上部、すなわち側壁部６，６及び中間壁部７の上部は、後方（後壁部５付近）から前方へ向かうにつれて下方へ傾斜し、かつ曲面である下方傾斜面とされている。詳細は後述するが、展開状態における身体受け部３の後部をフットレスト２に対して前方へ回動させた第一又は第二収納状態においては、この下方傾斜面に形成されたフットレスト２の上部に身体受け部３の載置面１４が当接するよう構成されている（図３〜図６も参照）。
【００２７】
図７に示すように、この椅子１はフットレスト２の上壁部９の左右方向における中央付近（すなわちフットレスト２の上部後方、かつ、左右方向中央付近）に、後述する身体受け部３に設けられたマッサージ部（臀部用マッサージ部Ｍ２、背中用マッサージ部Ｍ３）Ｍに接続されたエア配管１０１をフットレスト２内部へ挿通するための第一溝１３が設けられている。この第一溝１３は後方に向いた面を有する溝底部１３ａと、この溝底部１３ａの左右両側から後方に向かって立設された溝側部１３ｂ，１３ｂとを有しており、この溝底部１３ａと溝側部１３ｂ，１３ｂとによって上方が開放端となる第一溝上開放部１３ｃ及び後方が開放端となる第一溝後開放部１３ｄが構成され、第一溝１３はフットレスト２内部に連通している。
第一カバー部１０ａの上部かつ左右方向における中央付近には、上壁部９に設けられた第一溝１３に対応する位置に第一溝カバー１０ａ１が設けられており、第一溝カバー１０ａ１によって第一溝上開放部１３ｃ及び第一溝後開放部１３ｄの開放端を阻害しないよう第一溝１３が後方から覆われている。すなわち、フットレスト２の上部後方には、上方向及び後方向に開放端を有する第一溝１３が設けられているのである。
また、第一カバー部１０ａの上部かつ左右両端部には、前後方向に開放する第一カバー開放部１０ａ２，１０ａ２が設けられており、後述する上壁部９の左右両端部に設けられた身体受け部３とフットレスト２を連結する回動機構１８に干渉することを防止している。
【００２８】
［身体受け部の構成］
以下、図１〜図６及び図８に基づいて身体受け部３の構成について具体的に説明する。
図８は本発明の第一実施形態に係る椅子の身体受け部の前方斜視図である。なお、図８においては、身体受け部に設けられたマッサージ部Ｍ及びエア配管を省略して図示している。
図１に示すように、身体受け部３は、合成樹脂等よりなる硬質の身体受け部本体３００と、ウレタンフォーム、スポンジ、又は発泡スチロール製の内装材とこの内装材を伸縮性のある外装材（カバー）によって覆われて構成される正面視で略矩形のクッション部３０１とによって構成されている。また、図８に示すように、身体受け部３は、展開状態において上向きに露出して使用者の臀部を支持する座部分３ａと、前向きに露出して使用者の背中を支持する背凭れ部分３ｂとで構成されており、この座部分３ａと背凭れ部分３ｂは連続して一体に形成されている。
【００２９】
図１及び図３に示すように、身体受け部３は、展開状態において使用者の身体を置くためのクッション部３０１により構成される載置面１４と、この載置面１４の裏側に位置し、かつ第一又は第二収納状態において使用者が着座するための着座面１５と、載置面１４から立設された周壁部１６とから構成されている。この着座面１５と周壁部１６は身体受け部本体３００により構成されている。なお、第一又は第二収納状態において使用者が着座することができる着座面１５は、身体受け部３の座部分３ａに設けられている。
図１，図３及び図８に示すように、この周壁部１６は前壁部１６ａ、後壁部１６ｂ、左右の側壁部１６ｃ，１６ｃとから構成されている。この左右の側壁部１６ｃ，１６ｃには後述する身体受け部３を支持する支持部４が回動可能に連結されている。
この側壁部１６ｃについてより詳細に説明すると、側壁部１６ｃは、第二収納状態における支持部４を側壁部１６ｃ内に収容する収容溝１７を有しており、この収容溝１７は、第一又は第二収納状態において上方及び内側に窪んだ形状となっている。すなわち、この収容溝１７は展開状態において下方に向く面を有する溝底面１７ａと、この溝底面１７ａの左右方向内側から立設され左右方向外側に向く面を有する溝側面１７ｂとで構成されている。そして、支持部４はこの溝側面１７ｂに前後方向に回動可能に枢支されている。
【００３０】
図４及び図６に示すように、身体受け部３はフットレスト２に対して回動機構１８によって回動可能に連結されており、この回動機構１８は、具体的には展開状態において身体受け部３の前端である前壁部１６ａとフットレスト２の後端上部である上壁部９とを回動可能に連結し、左右方向に延びる回動軸１８ａを有するヒンジで構成されている。
【００３１】
図１及び図２に示すように、展開状態において使用者の身体を置くための載置面１４が上向きに露出するよう構成されている。身体受け部３が有する載置面１４は、展開状態において後方から前方へ向かうにつれて下方に傾斜し、かつ曲面である下方傾斜面とされている。身体受け部３の後部を、回動機構１８を介して回動軸１８ａ回りに前方へ回動させて図３〜図６に示す第一又は第二収納状態とすると、載置面１４がフットレスト２の側壁６，６及び中間壁７の上部に当接するよう構成されている。フットレスト２の上部は前述した通り、後方（後壁部５付近）から前方へ向かうにつれて下方へ傾斜し、かつ曲面である下方傾斜面とされており、第一又は第二収納状態において載置面１４とフットレスト２の上部（すなわち、載置面１４との当接面）は互いに相補的な形状であるため、第一又は第二収納状態としてもかさばらないようになっている。
【００３２】
図１に示すように、身体受け部３の載置面１４はクッション部３０１により構成され、展開状態におけるクッション部３０１の後面（載置面１４と反対側面）に設けられた面ファスナー等からなる係合部材２０と、展開状態における身体受け部本体３００の前面に設けられた面ファスナー等からなる被係合部材（図示せず）とを係合離脱することによって、クッション部３０１は身体受け部本体３００に対して着脱可能とされている。そして、身体受け部本体３００に設けられたクッション部３０１の内部である内装材には、使用者の臀部及び背中に対してマッサージするマッサージ部Ｍが設けられている。すなわち、このマッサージ部Ｍは身体受け部３の内部に設けられている。このマッサージ部Ｍはエアの給排気により膨張収縮して使用者の臀部及び背中に押圧マッサージを行うエアセルで構成されており、このマッサージ部Ｍへのエアの給排気は、フットレスト２及び身体受け部３の内部に配設されたエア配管１０１を介して連結された収納空間２ｂ内部のエア給排気装置１００によって行われる。また、このマッサージ部Ｍは座部分３ａに対応する箇所に１つ設けられた臀部用マッサージ部Ｍ２と、背凭れ部分３ｂに対応する箇所に左右一対設けられた背中用マッサージ部Ｍ３，Ｍ３で構成されている。なお、この身体受け部３のクッション部３０１は身体受け部本体３００に対して固着されていてもよいし、身体受け部３に設けられたマッサージ部Ｍは、臀部用マッサージ部Ｍ２と背中用マッサージ部Ｍ３のうちの少なくともいずれかを有していればよい。
【００３３】
図８に示すように、この椅子１は、身体受け部３の前壁部１６ａの左右方向における中央付近（すなわち身体受け部３の前部、かつ、左右方向中央付近）に、身体受け部３に設けられたマッサージ部（身体受け部本体３００に装着されたクッション部３０１に設けられた臀部用マッサージ部Ｍ２、背中用マッサージ部Ｍ３，Ｍ３）Ｍに接続されたエア配管１０１を身体受け部３外部へと導くための第二溝２１が設けられている。この第二溝２１は、展開状態において上方に向く面を有する溝底部２１ａと、この溝底部２１ａの左右から立設され左右方向内側に向く面を有する溝側部２１ｂ，２１ｂとを有しており、この溝底部２１ａと溝側部２１ｂとによって上方が開放端となる第二溝上開放部２１ｃ及び前方が開放端となる第二溝前開放部２１ｄが構成され、第二溝２１は身体受け部３内部に連通している。また、図１，図２，図４，及び図６に示すように、第二溝２１は左右方向において第一溝１３と対応する位置に設けられている。
【００３４】
従って、展開状態において身体受け部３に設けられたマッサージ部Ｍに接続されたエア配管１０１を、身体受け部３内部から第二溝２１及び第一溝１３を介してフットレスト（収納空間２ｂ）２内部へと導きエア給排気装置１００に接続することができる。具体的には、クッション部３０１内部に設けられたマッサージ部Ｍに接続されたエア配管１０１が、第二溝上開放部２１ｃ又は第二溝前開放部２１ｄから第一溝上開放部１３ｃ又は第一溝後開放部１３ｄを通過して、収納空間２ｂ内部へと挿通されてエア給排気装置１００に接続される。
【００３５】
以下、図９に基づいて本発明の第一実施形態に係る椅子の身体受け部の回動に伴う第二溝の移動について説明する。
図９は、本発明の第一実施形態に係る椅子の身体受け部の回動に伴う第二溝の移動について説明するための模式図であり、図９（ａ）は図１のＡ−Ａ線断面の模式図であり、図９（ｂ）は図９（ａ）の状態から身体受け部を前方へ略９０度回動させた状態の模式図であり、図９（ｃ）は図６のＢ−Ｂ線断面の模式図である。
【００３６】
図９（ａ）に示すように、展開状態において、第一溝１３と第二溝２１は、第一溝後開放部１３ｄと第二溝前開放部２１ｄとによって連通しており、第一溝１３の溝底部１３ａと溝側部１３ｂ，１３ｂと第二溝２１の溝底部２１ａと溝側部２１ｂ，２１ｂとによって囲まれ、かつ上方が開口した内部空間Ｓ１が形成されている。従って、身体受け部３の内部から前記内部空間Ｓ１を介してフットレスト２内部へとエア配管１０１を挿通可能となっている。この内部空間Ｓ１は、図９（ａ）において斜線によって示している。
図９（ｂ）に示すように、図９（ａ）に示す展開状態から身体受け部３を前方へ回動軸１８ａ回りに略９０度回動させた状態において、第一溝１３と第二溝２１は、第一溝後開放部１３ｄと第二溝前開放部２１ｄとによって椅子１の外部を介して連通しており、かつ第一溝上開放部１３ｃと第二溝上開放部２１ｃとによって椅子１の外部空間を介して連通している。
図９（ｃ）に示すように、図９（ａ）に示す展開状態から身体受け部３を前方へ回動軸１８ａ回りに略１８０度回動させた第一又は第二収納状態において、第一溝１３と第二溝２１は、第一溝上開放部１３ｃと第二溝上開放部２１ｃとによって連通しており、第一溝１３の溝底部１３ａと溝側部１３ｂ，１３ｂと第二溝２１の溝底部２１ａと溝側部２１ｂ，２１ｂとによって囲まれ、かつ後方が開口した内部空間Ｓ２が形成されている。従って、身体受け部３の内部から前記内部空間Ｓ２を介してフットレスト２内部へとエア配管１０１を挿通可能となっている。この内部空間Ｓ２は、図９（ｃ）において斜線によって示している。
【００３７】
上述したように、展開状態から収納状態へと状態変化させても内部空間Ｓ１又はＳ２を介して第一溝１３と第二溝２１との連通状態が維持されるため、身体受け部３に設けられたマッサージ部Ｍに接続されたエア配管１０１が、身体受け部３の回動動作によって無理に曲げられたり引っ張られたりして破損してしまうことを防止することができる。
なお、本発明の第一実施形態では、第一溝１３をフットレスト２の上壁部９の左右方向における中央付近に配置し、第二溝２１を身体受け部３の前壁部１６ａの左右方向における中央付近に配置した構成であるが、第一溝１３と第二溝２１の左右方向における位置が対応していればよく、第一溝１３及び第二溝２１のそれぞれがフットレスト２及び身体受け部３の左右方向におけるいずれかの位置（例えば端部）であってもよいし、左右両側（例えば左右両端部）の位置にあってもよい。
【００３８】
［支持部の構成］
以下、図８に基づいて支持部４の構成について具体的に説明する。
展開状態における身体受け部３の左右の側壁部１６ｃ，１６ｃの後部には、展開状態においてフットレスト２を設置する床面Ｆから所定の高さで身体受け部３を支持する支持部４が設けられている。
この支持部４は、正面視で上方が開口した略凹状のパイプフレームで構成され、側壁部１６ｃの後部に一端（上側）４ａが身体受け部３の側壁部１６ｃが有する回動軸１６ｄによって枢支され、他端（下側）４ｂが前後方向に回動可能である。支持部４の構成をより具体的に説明すると、支持部４は収容溝（溝側部１７ｂ）１７の後部に上端が枢支されて下方に延設された左右一対の側部材２２，２２と、この左右の側部材２２，２２の下端から内側に曲げられて左右方向に延設され床面Ｆに接地する下部材２３とによって構成されている。また、側部材２２には、後述する支持部４の位置決めを行う位置決め部２６を保護するカバー部材２４が設けられており、下部材２３には、床面Ｆに対する支持部４の滑りを防止する摩擦係数の高い材質（例えば弾性ゴム等）からなる滑り防止部材２５が設けられている。
従って、展開状態においてフットレスト２によって身体受け部３の前部が支持され、支持部４によって身体受け部３の後部が支持されることで、身体受け部３が全体として床面Ｆから所定の高さで支持される。
【００３９】
前述した通り、この支持部４は身体受け部３の側壁部１６ｃが有する溝側面１７ｂに、前後方向に回動可能に連結されている。従って、第一収納状態とされている椅子１の支持部４の他端４ｂを後方に回動させることによって、この椅子１を、支持部４の側部材２２を溝底面１７ａに当接させ、下部材２３を身体受け部３の前壁部１６ａの後方へ位置させる第二収納状態へと状態変更することができる。
【００４０】
［位置決め部の構成］
以下、図１０及び図１１に基づいて支持部４が有する位置決め部２６の構成について説明する。
図１０は支持部の詳細を示す前方分解斜視図であり、支持部の位置決めを行う位置決め部の構成を説明するための図面である。図１１は支持部の詳細を示す前方から見た正面図であり、支持部の位置決めを行う位置決め部の構成を説明するための図面である。なお、以下の位置決め部の説明における方向の概念は、展開状態における方向の概念を基準とする。
【００４１】
図１０及び図１１に示すように、支持部４の位置決めを行う位置決め部２６は、支持部４の一端４ａ付近に設けられている。この位置決め部２６は、各部材の詳細は後述するが、身体受け部３の側壁部１６ｃ後部に設けられたガイドシャフト２７と、支持部４の一端４ａ付近に設けられたガイド孔２８、係止部２９、係止部２９を変位させる操作部３０、係止部２９の変位方向を規制する規制部３１とによって構成されている。なお、本発明の第一実施形態に係る椅子１では、位置決め部２６を支持部４の左側（左側の側部材２２）のみに設けているが、左右の側部材２２，２２に設けてもよい。
【００４２】
ガイドシャフト２７は、側壁部１６ｃの溝側面１７ｂに設けられ、左右方向外側（左側方）に突出した棒状に構成されている。ガイド孔２８は、支持部４の一端４ａに設けられ、支持部４の回動軸１６ｄを中心とする円弧状に構成されている。従って、支持部４は、ガイドシャフト２７とガイド孔２８とによって位置規制されながら回動されるため、ガイド孔２８の孔範囲内で安定して前後方向に回動することができる。
係止部２９は、支持部４の一端４ａに設けられ、支持部４の回動をロックする上下方向に長寸で所定の厚みをもつ係止片３２と、係止片３２を左右方向に揺動可能に支持する前後方向に延びる揺動軸３３と、この揺動軸３３を支持部４の側部材２２に揺動可能に支持する軸受部３４と、支持部４の回動をロックする方向に係止片３２を常時付勢するトーションバネ等からなる付勢部３５とにより構成されている。この係止片３２は、上側が左右方向に揺動する揺動端部３２ａと、下側が揺動軸３３に枢支された揺動基部３２ｂとにより構成されており、この揺動端部３２ａは前側が左右方向に厚肉であり後側が左右方向に薄肉となっており、揺動端部３２ａの内側面は後方に向かうにつれて左右方向外側（左）向きに傾斜している。また、揺動端部３２ａが左右方向内側（右側方）に揺動するよう付勢部３５により常時付勢されている。
操作部３０は、係止片３２の下端（すなわち、揺動基部３２ｂの下端）付近に設けられ、付勢部３５の付勢力に抗して左右方向内側（右側方）へ押動することで係止片３２を変位（揺動基部３２ａを左右方向外側へ揺動）させるよう構成されている。
規制部３１は、展開状態において、支持部４におけるガイド孔２８の上方、かつ係止片（揺動端部３２ａ）３２の後方から当接する位置に設けられ、左右方向外側（左側方）に突出した棒状に構成されている。そして、この規制部３１は、係止片３２への後方からの当接により、係止片３２の後方への変位を規制すると共に、展開状態において揺動基部３２ｂへ過度の負荷がかからないよう係止片３２を支持している。
【００４３】
次に、位置決め部２６による位置決めと位置決め解除の切替え動作について説明する。
図１０に示すように、展開状態においては、ガイドシャフト２７の後方から係止片３２の揺動端部３２ａが当接し、ガイドシャフト２７の前方からガイド孔２８の孔前端部が当接しており、かつ付勢部３５により揺動端部３２ａは左右方向内側へ付勢されているため、支持部４は前後方向への回動が規制され、展開状態おいて位置決めされている。
展開状態から第一収納状態を介して第二収納状態へと状態変更させる場合には、まず身体受け部３の後部（後壁部１６ｂ側）を前方へ回動させて第一収納状態とした後に、操作部３０を付勢部３５の付勢力に抗して左右方向内側へ押動することにより、揺動端部３２ａを左右方向外側へ揺動させて係止片３２のガイドシャフト２７への当接を解除すると、支持部４は前後方向への回動が許容され、第一収納状態にある支持部４の位置決めが解除される。
逆に、第二収納状態から第一収納状態を介して展開状態へと状態変更させる場合には、第二収納状態において支持部４の他端４ｂを第一収納状態における位置まで前方へ回動させる動作のみで、支持部４は第一収納状態で位置決めされる。その後、第一収納状態において身体受け部３の前部（後壁部１６ｂ側）を後方へ回動させることにより、支持部４は展開状態で位置決めされる（すなわち、展開状態においては、ガイドシャフト２７の前方からガイド孔２８の孔前端部が当接し、ガイドシャフト２７の後方から係止片３２の前部が当接することによって支持部４の回動がロックされる）。
なお、図１０に示すように、展開状態において、係止片３２の揺動端部３２ａはその内側面が後方に向かうにつれて左右方向外側（左）向きに傾斜しているため、係止片３２の揺動端部３２ａの後部がガイドシャフト２７へ前方から当接する際（第二収納状態にある支持部４の回動位置を第一収納状態又は展開状態へと変更する際）には、ガイドシャフト２７に対する係止片３２の後方への移動によって、揺動基部３２ａがガイドシャフト２７により左右方向外側へ押し出されていく。従って、位置決め部２６による位置決めを解除することなく、第二収納状態における支持部４の他端４ｂを前方へ回動させて、第一収納状態を介して展開状態へと状態変更することができる。
【００４４】
［身体受け部の折畳み機構］
図１２は、本発明の第一実施形態に係る椅子の状態変化を説明する側面図であり、図１２（ａ）は展開状態における椅子の側面図であり、図１２（ｂ）は第一収納状態における椅子の側面図であり、図１２（ｃ）は第二収納状態における椅子の側面図である。
【００４５】
図１２（ａ）に示すように展開状態では、身体受け部３がフットレスト２及び支持部４によって床面Ｆから所定の高さで支持されており、身体受け部３の載置面１４が上向きに露出している。従って、使用者が身体受け部３の載置面１４に着座し、フットレスト２の左右の溝２ａ，２ａに脚を収容して、前述したマッサージ部Ｍによって背中、臀部、及び脚部等にマッサージを施すことができる椅子型マッサージ機として椅子１を使用することができる。なお、展開状態の椅子１に着座する使用者は前方を向くことになる。
【００４６】
そして、図１２（ａ）の二点鎖線で示すように、使用者が下向きに露出している身体受け部３の着座面１５を上方かつ前方へ押上げる等の作業によって、身体受け部３の後部（後壁部１６ｂ側）を、身体受け部３の前部（前壁部１６ａ）に設けられた回動機構１８を介して左右方向の回動軸１８ａ回りに前方へ回動させる。この動作を載置面１４がフットレスト２の上部（側壁部６及び中間壁部７の上部）に当接するまで行うことにより、椅子１が図１２（ｂ）に示す第一収納状態へと変化する。
【００４７】
図１２（ｂ）に示すように第一収納状態では、身体受け部３がフットレスト２の上部に載置され、身体受け部３の着座面１５が上向きに露出している。また、支持部４の他端４ｂが一端４ａに対して上に位置するように、支持部４が身体受け部３の側壁部１６ｃから上方に向かって立ち上がっている。従って、使用者が着座面１５に着座し、支持部４に凭れかかることができる背凭れ部付きの椅子として椅子１を使用することができる。なお、第一収納状態の椅子１に着座する使用者は後方を向くことになる。
【００４８】
そして図１２（ｂ）の二点鎖線で示すように、使用者が支持部４の下部材２３を掴んで後方かつ下方へ引き下げる等の作業によって、支持部４の他端４ｂを回動軸１６ｄ回りに後方へ回動させる。この作業を支持部４が収容溝１７の溝底面１７ａに当接するまで行うことにより、椅子１が図１２（ｃ）に示す第二収納状態へと変化する。
【００４９】
図１２（ｃ）に示すように第二収納状態では、第一収納状態と同様に、身体受け部３がフットレスト２の上部に載置され、身体受け部３の着座面１５が上向きに露出しているが、第一収納状態と異なり、支持部４の他端４ｂが一端４ａに対して後方に位置し、かつ支持部４が身体受け部３の側壁部１６ｃの側部に位置する（つまり、側部材２２が溝側面１７ｂの側部に位置する）ように、支持部４が後方に向かって倒れ込んでいる。従って、使用者が着座面１５に着座する背凭れ部のないスツールとして椅子１を使用することができる。なお、第一収納状態の椅子１に着座する使用者はいずれの方向へも向くことができる。
【００５０】
［本発明の他の実施形態に係る椅子の構成］
次に図１３及び図１４に基づいて、本発明の他の実施形態に係る椅子の構成について説明する。
図１３は本発明の第二実施形態に係る第一収納状態における椅子の全体構成を示す側面図であり、図１４は本発明の第三実施形態に係る第一収納状態における椅子の全体構成を示す側面図である。
【００５１】
図１３に示すように、第二実施形態に係る椅子１は、フットレスト２の前部、かつ下方に床面Ｆを転動する左右一対の車輪２００，２００を備えており、より具体的に説明すると、この車輪２００はフットレスト２が有する底壁部８の前部に備えられている。なお、この左右一対の車輪２００は、底壁部８に代えて、フットレスト２が有する左右の側壁部６の前部かつ下方に備えていてもよい。
更に、第二実施形態の椅子１は、フットレスト２と身体受け部３を第一又は第二収納状態で固定するロック機構２０１を備えている。より具体的に説明すると、このロック機構２０１は、フットレスト２が有する側壁部６の前部かつ下方に設けられ、前方へ突出したかぎ状の左右一対の係合部材（図示せず）と、身体受け部３の両側方、かつ上方に設けられ前記係合部材に係合される孔である左右一対の被係合部材（図示せず）とによって構成されている。このロック機構２０１は、第一又は第二収納状態とすべく、フットレスト２の側壁部６の前部と身体受け部３における背凭れ部分３ｂの載置面１４を当接させることにより前記係合部材が前記被係合部材に係合し、フットレスト２と身体受け部３が第一又は第二収納状態でロックされ、側壁部６に備えられたロック解除操作部２０２を操作する（押す）ことにより前記係合部材が前記被係合部材から離脱し、展開状態へと状態変更することが可能となる。
この第二実施形態に係る椅子１によれば、第一収納状態において支持部４を引き手として利用し、椅子１を前方へ傾斜させて車輪２００を床面Ｆに設地させることにより、椅子１を容易に移動させることができる。
【００５２】
図１４に示すように、第三実施形態に係る椅子１は、身体受け部３の上部、かつ側方に床面Ｆを転動する左右一対の車輪２００，２００を備えており、より具体的に説明すると、この車輪２００は身体受け部３が有する背凭れ部分３ｂの上部、かつ側方に備えられており、車輪２００の転動面が展開状態において背凭れ部分３ｂの後端よりも若干後方へ突出している（図１４では、車輪２００は背凭れ部分３ｂよりも左方向へ突出している）。
更に、第三実施形態の椅子１は、フットレスト２と身体受け部３を第一又は第二収納状態で固定する第二実施形態と同様の構成のロック機構２０１、及びロック解除操作部２０２とを備えている。
この第三実施形態に係る椅子１によれば、第二実施形態と同様に、第一収納状態において支持部４を引き手として利用し、椅子１を前方へ傾斜させて車輪２００を床面Ｆに設地させることにより、椅子１を容易に移動させることができる。
なお、第二及び第三実施形態に係る椅子１の車輪２００、ロック機構２０１、ロック解除操作部２０２を除くその他の構成は第一実施形態に係る椅子１の構成と同様であるため説明を省略する。
【産業上の利用可能性】
【００５３】
本発明は、フットレストを使用しない収納状態においては、大幅に設置スペースを小さくすることができる椅子に適用することができる。
【図面の簡単な説明】
【００５４】
【図１】本発明の第一実施形態に係る展開状態における椅子の全体構成を示す前方斜視図である。
【図２】本発明の第一実施形態に係る展開状態における椅子の全体構成を示す後方斜視図である。
【図３】本発明の第一実施形態に係る第一収納状態における椅子の全体構成を示す前方斜視図である。
【図４】本発明の第一実施形態に係る第一収納状態における椅子の全体構成を示す後方斜視図である。
【図５】本発明の第一実施形態に係る第二収納状態における椅子の全体構成を示す前方斜視図である。
【図６】本発明の第一実施形態に係る第二収納状態における椅子の全体構成を示す後方斜視図である。
【図７】本発明の第一実施形態に係る椅子のフットレストの後方分解斜視図である。
【図８】本発明の第一実施形態に係る椅子の身体受け部の前方斜視図である。
【図９】本発明の第一実施形態に係る椅子の身体受け部の回動に伴う第二溝の移動について説明するための模式図であり、図９（ａ）は図１のＡ−Ａ線断面の模式図であり、図９（ｂ）は図９（ａ）の状態から身体受け部を前方へ略９０度回動させた状態の模式図であり、図９（ｃ）は図６のＢ−Ｂ線断面の模式図である。
【図１０】支持部の詳細を示す前方分解斜視図であり、支持部の位置決めを行う位置決め部の構成を説明するための図面である。
【図１１】支持部の詳細を示す前方から見た正面図であり、支持部の位置決めを行う位置決め部の構成を説明するための図面である。
【図１２】本発明の第一実施形態に係る椅子の状態変化を説明する側面図であり、（ａ）は展開状態における椅子の側面図であり、（ｂ）は第一収納状態における椅子の側面図であり、（ｃ）は第二収納状態における椅子の側面図である。
【図１３】本発明の第二実施形態に係る第一収納状態における椅子の全体構成を示す側面図である。
【図１４】本発明の第三実施形態に係る第一収納状態における椅子の全体構成を示す側面図である。
【符号の説明】
【００５５】
１  椅子
２  フットレスト
３  身体受け部
４  支持部
１３  第一溝
１４  載置面
１５  着座面
１７  収容溝
２１  第二溝
２６  位置決め部
１０１  エア配管
２００  車輪
２０１  ロック機構
Ｆ  床面
Ｍ  マッサージ部
Ｓ１，Ｓ２  内部空間
【図１】
2010148815.tif 000003
【図２】
2010148815.tif 000004
【図３】
2010148815.tif 000005
【図４】
2010148815.tif 000006
【図５】
2010148815.tif 000007
【図６】
2010148815.tif 000008
【図７】
2010148815.tif 000009
【図８】
2010148815.tif 000010
【図９】
2010148815.tif 000011
【図１０】
2010148815.tif 000012
【図１１】
2010148815.tif 000013
【図１２】
2010148815.tif 000014
【図１３】
2010148815.tif 000015
【図１４】
2010148815.tif 000016